(57)【要約】      （修正有）【課題】フランジの仮付け作業を誰にでもできる様に、簡単に直角がわかる工具フランジアシストを提供する。【解決手段】中央上部にハンドル２を持つクランプ開閉ボルト１と、その下部に配管と平行にする為溝を付けた移動クランプ爪１３と、左右のクランプアーム１４先端クランプ爪１２Ａ、１２Ｂと、フランジを固定するスプリングアンカーと、から構成される。ハンドル２を回転させるとクランプ開閉ボルト１が上下に動き、同時に左右のクランプアーム１４先端クランプ爪１２Ａ、１２Ｂが開閉し、配管に直角に締め付けて固定する、移動クランプ爪１３とクランプ爪１２Ａ、１２Ｂ先端に、同長同形の不等辺Ｌ型鋼角９０°ストッパーガイド１１Ａ〜１１Ｃを平行に取付け、配管パイプに挿入したフランジ９の正面を受け止め、配管パイプとフランジ９を直角に固定し、仮付けが出来る。即ち配管パイプにフランジ９を挿入すると、直角に固定することができる。【選択図】図３
0003231855.tif 000002
【実用新案登録請求の範囲】
【請求項１】
中心点Ｓの円周上にクランプ爪ＡＢと移動クランプ爪の３点を設定し、そこに同じ長さのストッパーガイドを平行に取付ければ、設置した配管も平行になり挿入したフランジは直角となるので、直ちに仮付け作業が出来るフランジアシストである。
【請求項２】
スケール４は、移動クランプ爪につけ、溶接の脚長を計りＬ形ストッパーを連動させ配管を設置して、戻せば面倒な寸法出しを簡単に出来るフランジアシストである。
【請求項３】
クランプアームに、スプリングアンカーＡＢＣを付けフランジが簡単に固定でき、フランジのボルト孔の水平をみて微調整し、直ぐに仮付け作業が出来るフランジアシストである。
【考案の詳細な説明】
【技術分野】
【０００１】      本考案は、配管フランジ仮付け作業に関するものである。
【背景技術】
【０００２】      コンビナート内は、新設・増設工事であれ、修理工事であれ、既成の建造物配管に対して、常に水平・平行・直角が求められる。この為に、正確な仮付け作業が必要となる。
これは手間取り面倒なもので、作業者の経験や力量を要する。
【考案の概要】
【考案が解決しようとする課題】
【０００３】      配管パイプとフランジ仮付け時の手間取り面倒で、経験を必要とする工程は、常に必要な作業である。本考案は、これらを容易にするためになされたものである。
【課題を解決するための手段】
【０００４】      上記の課題を解決するために、スケール４で溶接の脚長を決めストッパーボルト５で固定しＬ形ストッパ６で配管にセットする。６をスライドさせて、フランジを挿入しスプリングアンカー１６で固定する。フランジのボルト孔７の水平をみる。固定してはあるが、スプリング式なので、簡単に調整でき、すぐに仮付け作業ができる。本考案は、以上の構成からなるフランジアシストである。
【考案の効果】
【０００５】      上記のようにスケール４で、溶接の脚長を決めてセットするので微妙な寸法出しの必要が無い。三方チャック式クランプの先端１２ＡＢと１３は任意の点Ｓの円周上に、設置する。そこに同長・同形の１１スットパーガイドを平行に取付ける。
Ｌ形ストッパ６をスライドさせて、フランジを挿入し、１６のスプリングアンカーで固定する。配管とフランジは、即直角でありスプリングなので、取付けも簡単ある。フランジボルト孔７の水平を見てすぐに仮付け作業ができるフランジアシストである。
【図面の簡単な説明】
【０００６】
【図１】本考案フランジアシストの平面図である
【図２】本考案フランジアシストの側面図である
【図３】本考案フランジアシストの正面図である
【図４】スケール周辺詳細の側面図である
【考案を実施するための形態】
【０００７】  図１で示すように、スケール４で溶接の脚長を決め配管をクランプ爪１２・１３で固定する。そこに、同長・同形のスットパーガイド１１ＡＢＣに合わせてフランジを挿入しスプリングアンカー１６で固定する。フランジボルト孔の水平をみれば即仮付け作業が出来るフランジアシストである。
【実施例】
【０００８】図１のようにスケール４で決めた溶接の脚長をＬ形ストッパー６でスライドさせストッパーボルト５で留める。配管パイプ１５を１２ＡＢ・１３で固定して、６を元の位置に戻す。そこにフランジ９を挿入しスプリングアンカー１６ＡＢＣで固定すれば、配管パイプ１５とフランジ９は直角である。ボルト孔の水平を見て直ぐに仮付け作業を開始出来る。簡単で時短になるフランジアシストである。
【符号の説明】
【０００９】フランジアシスト
１  クランプ開閉ボルト              １０  ガイド取付けボルトＡＢＣ
２  開閉ハンドル                    １１  ストッパーガイドＡＢＣ
３  スライドガイド                  １２  クランプ爪ＡＢ
４  スケール                        １３  移動クランプ爪
５  ストッパーボルト                １４  クランプアーム
６  Ｌ形ストッパー                  １５  配管パイプ
７  フランジボルト孔                １６  スプリングアンカーＡＢＣ
８  スプリング      ＡＢＣ
９  フランジ
【図１】
0003231855.tif 000003
【図２】
0003231855.tif 000004
【図３】
0003231855.tif 000005
【図４】
0003231855.tif 000006
【手続補正書】
【提出日】令和1年9月2日(2019.9.2)
【手続補正１】
【補正対象書類名】実用新案登録請求の範囲
【補正対象項目名】全文
【補正方法】変更
【補正の内容】
【実用新案登録請求の範囲】
【請求項１】
クランプ爪ＡＢと移動クランプ爪の３点を通る円の中心点をＳ設定し、クランプ爪それぞれに、同長同形角９０°ストッパーガイド１１を平行に取付ければ、挿入したフランジは配管に対して直角となり、直ちに仮付け作業が出来るフランジアシストである。
【請求項２】
スケール４は、移動クランプ爪につけ、溶接の脚長を計りＬ形ストッパー６をセットしフランジを挿入すれば、面倒な寸法出しを簡単に出来ることを特徴とする請求項１記載のフランジアシストである。
【請求項３】
スプリングアンカーＡＢＣは、挿入したフランジ外側を引っ張り簡単に固定でき、フランジのボルト孔の水平をみて微調整する、即ち固定が簡単であり容易く微調整が出来る事を特徴とする請求項１記載の直ちに仮付け作業が出来るフランジアシストである。
【手続補正書】
【提出日】令和2年6月17日(2020.6.17)
【手続補正１】
【補正対象書類名】実用新案登録請求の範囲
【補正対象項目名】全文
【補正方法】変更
【補正の内容】
【実用新案登録請求の範囲】
【請求項１】
中央に開閉ハンドル２を持つクランプ開閉ボルト１と左右にクランプアーム１４のＹ型構造とし、前記クランプ開閉ボルト１と左右クランプアーム１４の先端に移動クランプ爪１３とクランプ爪１２ＡＢからなる三方チャック爪方式と、クランプ爪１２ＡＢと移動クランプ爪１３それぞれに不等辺Ｌ型鋼角９０°ストッパーガイド１１を平行に取付けて、配管パイプ１５に、又挿入したフランジ９の正面を受け止め配管パイプ１５に直角固定する、直ちに仮付け溶接作業が出来るフランジアシストである。
【請求項２】
スケール４は、移動クランプ爪１３に付け、フランジ９溶接の脚長寸法を決め、Ｌ形ストッパー６をストッパーボルト５でセットして、フランジ９を挿入し、面倒な仮付け溶接寸法出しが簡単に出来ることを特徴とする請求項１記載のフランジアシストである。
【請求項３】
スプリングとスプリングアンカーは一体化し各クランプ爪に付け、スプリングアンカー１６ＡＢＣは挿入したフランジ９外側面３点を引っ張り、簡単に固定出来、フランジ９のボルト孔７の水平をみて微調整する、即ち固定が簡単であり容易く微調整が出来る事を特徴とする請求項１記載のフランジアシストである。
【手続補正書】
【提出日】令和2年9月30日(2020.9.30)
【手続補正１】
【補正対象書類名】実用新案登録請求の範囲
【補正対象項目名】全文
【補正方法】変更
【補正の内容】
【実用新案登録請求の範囲】
【請求項１】
中央に開閉ハンドル（２）を持つクランプ開閉ボルト（１）と左右にクランプアーム（１４）のＹ型構造とし、前記クランプ開閉ボルトと左右クランプアームの先端に移動クランプ爪（１３）とクランプ爪（１２）ＡＢそれぞれに同長同形の不等辺Ｌ型鋼角９０°ストッパーガイド（１１）を平行に取付け配管パイプ（１５）にセットし挿入したフランジ（９）の正面を受け止め配管パイプ（１５）に固定する、配管パイプとフランジを直角に固定することを特徴とし仮付け溶接作業が出来るフランジアシスト。
【請求項２】
スケール（４）は移動クランプ爪（１３）の上部にスライドガイドを持ち脚長寸決めるＬ形スットパー（６）と決めた寸法を固定するストッパーボルト（５）を備え配管パイプ（１５）にセットする前に脚長寸法決めをして後に配管パイプ（１５）にセットすると寸法出しが出来ている、フランジ（９）を挿入し直ちに仮付け溶接作業が出来ることを特徴とする請求項１記載のフランジアシスト。
【請求項３】
フック型のスプリングアンカー（１６）各クランプ爪に付け、前記スプリングアンカー（１６）ＡＢＣは挿入したフランジ（９）外側面３点を引っ張り、配管パイプ（１５）に固定出来、フランジ（９）のボルト孔（７）の水平をみて微調整する、即ち固定が簡単であり容易く微調整が出来る事を特徴とする請求項１記載のフランジアシスト。
【手続補正書】
【提出日】令和3年1月12日(2021.1.12)
【手続補正１】
【補正対象書類名】実用新案登録請求の範囲
【補正対象項目名】全文
【補正方法】変更
【補正の内容】
【実用新案登録請求の範囲】
【請求項１】
中央上部にハンドル２を持つクランプ開閉ボルト１と、その下部に配管と平行にする為溝を付けた移動クランプ爪１３と、左右のクランプアーム１４ＡＢ先端クランプ爪１２ＡＢと、フランジを固定するスプリングアンカーＡＢと、からなり、ハンドル２を回転させるとクランプ開閉ボルト１が上下に動き、同時に左右のクランプアーム１４先端クランプ爪１２が開閉し、配管に直角に締め付けて固定する、前記移動クランプ爪１３とクランプ爪１２ＡＢ先端に、同長同形の不等辺Ｌ型鋼角９０°ストッパーガイド１１ＡＢＣを平行に取付け、配管パイプ１５に挿入したフランジ９の正面を受け止め、配管パイプとフランジを直角に固定し、仮付けが出来る、即ち配管パイプにフランジを挿入すると、直角に固定すると事を特徴とするフランジアシスト。
【請求項２】
スケール４は、移動クランプ爪１３の上部に、スライドガイド３を持ち、脚長寸法を決めるＬ形スットパー６と、決めた寸法を固定するストッパーボルト５を備え、最初にフランジの脚長を決め、配管パイプ１５にセットすると寸法出しが出来ているので、フランジ９を挿入して、ただちに仮付け作業が出来る、即ち最初にフランジの脚長決めが、出来る事を特徴とする請求項１記載のフランジアシスト。